(57)【要約】【課題】複数の操作手段がある場合でも、空気調和機の操作に関しユーザが不快に感じることを防止できる技術を提供する。【解決手段】空気調和システム１において、室内機２は、ユーザの操作を受け付ける第１操作手段による操作と、ＡＩ操作を行う第２操作手段による操作との双方が操作禁止期間Ｐ１内に行われた場合は、第２操作手段による操作よりも優先して第１操作手段による操作を受け付ける。【選択図】図７
2020122641.tif 000002
【特許請求の範囲】
【請求項１】
室内機を有する空気調和機と、前記室内機を操作可能な複数の操作手段とを具備する空気調和システムであって、
前記複数の操作手段は、ユーザの操作を受け付ける第１操作手段と、ＡＩによる操作を行う第２操作手段とを含み、
前記室内機は、前記第１操作手段による第１操作と前記第２操作手段による第２操作との双方が所定時間内に行われた場合は、前記第２操作よりも優先して前記第１操作を受け付ける、
空気調和システム。
【請求項２】
前記室内機は、前記第１操作を受け付けてから前記所定時間が経過するまでは、前記第２操作を受け付けない、
請求項１に記載の空気調和システム。
【請求項３】
前記第１操作手段は、前記室内機の本体に設けられることにより、または、前記室内機と赤外線通信を行うことにより、前記室内機が設置された部屋での操作が可能な第１副操作手段と、前記室内機と電波通信を行うことにより前記室内機が設置された部屋とは別の部屋からの操作が可能な第２副操作手段と、屋外からの操作が可能な第３副操作手段とを含み、
前記室内機は、
前記第１副操作手段による第３操作と前記第２副操作手段による第４操作との双方が前記所定時間内に行われた場合は、前記第４操作よりも優先して前記第３操作を受け付け、
前記第３操作と前記第３副操作手段による第５操作との双方が前記所定時間内に行われた場合は、前記第５操作よりも優先して前記第３操作を受け付け、
前記第４操作と前記第５操作との双方が前記所定時間内に行われた場合は、前記第５操作よりも優先して前記第４操作を受け付ける、
請求項１に記載の空気調和システム。
【請求項４】
前記室内機は、前記第３操作を受け付けてから前記所定時間が経過するまでは、前記第４操作及び前記第５操作を受け付けない、
請求項３に記載の空気調和システム。
【請求項５】
前記室内機は、前記第４操作を受け付けてから前記所定時間が経過するまでは、前記第５操作を受け付けない、
請求項３に記載の空気調和システム。
【発明の詳細な説明】
【技術分野】
【０００１】
本開示は、空気調和システムに関する。
【背景技術】
【０００２】
ＡＩ（Artificial  Intelligence）を利用する空気調和システムが知られている。空気調和システムにＡＩを利用することにより、ユーザの好みや行動パターン等に応じた快適な空気調和空間を実現することができる。
【先行技術文献】
【特許文献】
【０００３】
【特許文献１】特開２０１５−１１７９３３号公報
【発明の概要】
【発明が解決しようとする課題】
【０００４】
ところで、１つの空気調和システムが複数の操作手段を有する場合がある。空気調和システムにおける複数の操作手段として、例えば、室内機本体に設けられた操作ボタン、赤外線（ＩＲ）リモコン、他の部屋からも操作可能な電波（ＲＦ）リモコン、室内機に接続されたアダプタを介して室内機と通信する通信端末、及び、ＡＩ等が挙げられる。このように、１つの空気調和システムが複数の操作手段を有する場合に、２以上の操作手段によって操作が同時になされると、ユーザの意思に反する操作となってしまうことがある。例えば、空気調和機の温度設定に関し、ユーザによる赤外線リモコンによる手動操作によって設定温度を上げるように指示された直後に、ＡＩによる自動操作によって設定温度を下げるように指示されると、ユーザの意思に反して設定温度が下げられてしまうため、ユーザが不快に感じることがある。
【０００５】
本開示は、複数の操作手段がある場合でも、空気調和機の操作に関しユーザが不快に感じることを防止できる技術を提供する。
【課題を解決するための手段】
【０００６】
開示の態様では、空気調和システムは、室内機を有する空気調和機と、前記室内機を操作可能な複数の操作手段とを有する。前記複数の操作手段は、ユーザの操作を受け付ける第１操作手段と、ＡＩによる操作を行う第２操作手段とを含む。前記室内機は、前記第１操作手段による第１操作と前記第２操作手段による第２操作との双方が所定時間内に行われた場合は、前記第２操作よりも優先して前記第１操作を受け付ける。
【発明の効果】
【０００７】
開示の態様によれば、複数の操作手段がある場合でも、空気調和機の操作に関しユーザが不快に感じることを防止できる。
【図面の簡単な説明】
【０００８】
【図１】図１は、実施例１の空気調和システムの構成例を示す図である。
【図２】図２は、実施例１のアダプタの構成例を示す図である。
【図３】図３は、実施例１のサーバ装置の構成例を示す図である。
【図４】図４は、実施例１の運転情報データの一例を示す図である。
【図５】図５は、実施例１の体感温度設定予測モデルの生成または更新に使用される運転情報データの一例を示す図である。
【図６】図６は、実施例１の優先順位テーブルの一例を示す図である。
【図７】図７は、実施例１の空気調和システムの処理例の説明に供する図である。
【図８】図８は、実施例１の空気調和システムの処理例の説明に供する図である。
【発明を実施するための形態】
【０００９】
以下に、本開示の技術を図面に基づいて説明する。以下では、同一の構成には同一の符号を付す。
【００１０】
［実施例１］
＜空気調和システムの構成＞
図１は、実施例１の空気調和システムの構成例を示す図である。図１において、空気調和システム１は、室内機２と、アダプタ３と、ルータ４Ａ，４Ｂと、サーバ装置５と、中継装置６と、通信端末７と、通信網８とを有する。アダプタ３と中継装置６とは、ルータ４Ａ及び通信網８を介して相互に通信可能である。また、通信端末７と中継装置６とは、ルータ４Ｂ及び通信網８を介して相互に通信可能である。
【００１１】
室内機２は、室内に配置され、室内の空気を加熱または冷却する空気調和機の一部である。空気調和機は、主に、室内機２と、屋外に配置される室外機（図示省略）とを有する。空気調和機のユーザは、リモコン９の操作により室内機２を遠隔操作することが可能である。リモコン９の一例として、赤外線リモコンまたは電波リモコンが挙げられる。室内機２は、本体２Ａと、本体２Ａを制御する制御部２Ｂとを有する。制御部２Ｂは、例えばＣＰＵ（Central  Processing  Unit）、ＭＰＵ（Micro  Processing  Unit）、ＭＣＵ（Micro  Controller  Unit）等のプロセッサにより実現される。本体２Ａは、室内ファン及び室内熱交換器等を備え、室内熱交換器で冷媒と熱交換が行われた室内空気が本体２Ａから吹き出されることで、部屋の暖房、冷房、除湿が行われる。また、本体２Ａには、室内機２を直接操作可能な操作ボタンが設けられる。また、空気調和機の他の一部である室外機には、室外ファン、室外熱交換器、圧縮機、膨張弁等が備えられている。
【００１２】
アダプタ３は、室内機２とルータ４Ａとの間を無線通信で接続する通信機能と、室内機２をＡＩ（Artificial  Intelligence）制御する制御機能とを有する。アダプタ３は、室内機２毎に設置される。ルータ４Ａは、例えばＷＬＡＮ（Wireless  Local  Area  Network）等を使用して、アダプタ３と無線通信で接続し、アダプタ３と通信網８とを接続する。通信網８の一例として、インターネット等が挙げられる。
【００１３】
通信端末７の一例として、ユーザが利用するスマートフォン、タブレット端末等が挙げられる。ルータ４Ｂは、例えばＷＬＡＮ等を使用して、通信端末７と無線通信で接続し、通信端末７と通信網８とを接続する。ユーザは、通信端末７を操作することにより、室内機２を操作することが可能である。
【００１４】
サーバ装置５は、室内機２を制御するＡＩの学習モデルを生成する機能、及び、空気調和機の運転情報データを記憶するデータベース等を有する。サーバ装置５は、例えば、データセンタに設置されている。中継装置６は、通信網８に接続され、サーバ装置５と通信する機能を有する。中継装置６は、アダプタ３に適用される学習モデルの生成または更新に使用される運転情報データをアダプタ３から受信し、受信した運転情報データをサーバ装置５へ送信する。また、中継装置６は、サーバ装置５で生成または更新された学習モデルをサーバ装置５から受信し、受信した学習モデルをアダプタ３へ送信する。
【００１５】
中継装置６は、第１の中継部６Ａと、第２の中継部６Ｂと、第３の中継部６Ｃとを有する。第１の中継部６Ａは、アダプタ３とサーバ装置５との間で、ＡＩ制御に関わる各種データを送信する。例えば、第１の中継部６Ａは、アダプタ３から受信した運転情報データをサーバ装置５へ送信するとともに、運転情報データを用いてサーバ装置５が生成または更新した学習モデルをアダプタ３へ送信する。第２の中継部６Ｂは、ユーザが通信端末７を使用して設定した室内機２の運転条件（冷房／暖房といった運転モードや設定温度等）を取得し、取得した運転条件をアダプタ３経由で室内機２へ送信する。第３の中継部６Ｃは、通信網８を通して天気予報等の外部データを取得し、取得した外部データをサーバ装置５やアダプタ３へ送信する。
【００１６】
＜アダプタの構成＞
図２は、実施例１のアダプタの構成例を示す図である。図２において、アダプタ３は、第１の通信部１１と、第２の通信部１２と、記憶部１３と、プロセッサ１４とを有する。
【００１７】
第１の通信部１１は室内機２の制御部２Ｂと通信し、例えばＵＡＲＴ（Universal  Asynchronous  Receiver  Transmitter）等の通信ＩＦ（Interface）により実現される。第２の通信部１２はルータ４Ａと通信し、例えばＷＬＡＮ用の通信ＩＦにより実現される。記憶部１３は、例えばＨＤＤ（Hard  Disk  Drive）、ＲＯＭ（Read  Only  Memory）、ＲＡＭ（Random  Access  Memory）等により実現され、データやプログラム等の各種情報を記憶する。プロセッサ１４は、例えばＣＰＵ、ＭＰＵ、ＭＣＵ等により実現される。
【００１８】
記憶部１３は、運転情報メモリ１３Ａと、モデルメモリ１３Ｂと、外部メモリ１３Ｃとを有する。運転情報メモリ１３Ａは、室内機２から取得された運転情報データを一時記憶する。モデルメモリ１３Ｂは、サーバ装置５から取得した学習モデルを記憶する。外部メモリ１３Ｃは、外部データを記憶する。
【００１９】
プロセッサ１４は、プロセッサ１４における機能ブロックとして、取得部１４Ａと、送信部１４Ｂと、受信部１４Ｃと、設定部１４Ｄと、予測部１４Ｅとを有する。
【００２０】
取得部１４Ａは、設定温度や室内温度等の運転情報データを、所定の周期で（例えば５分毎に）室内機２から取得する。取得部１４Ａは、取得した運転情報データを運転情報メモリ１３Ａに記憶させる。なお、後に図４を用いて説明するように、運転情報データは、運転情報データの取得年月日であるタイムスタンプを含んでいる。
【００２１】
送信部１４Ｂは、運転情報メモリ１３Ａに記憶された運転情報データを運転情報メモリ１３Ａから取得し、取得した運転情報データをサーバ装置５へ送信する。
【００２２】
受信部１４Ｃは、サーバ装置５から学習モデルを受信し、受信した学習モデルをモデルメモリ１３Ｂに記憶させる。
【００２３】
設定部１４Ｄは、モデルメモリ１３Ｂに記憶された学習モデルをモデルメモリ１３Ｂから取得し、取得した学習モデルを予測部１４Ｅに設定する。
【００２４】
予測部１４Ｅは、設定部１４Ｄにより設定された学習モデルを用いて室内機２の制御部２Ｂを制御する。なお、予測部１４Ｅは、学習モデルを用いて室内機２の本体２Ａを直接制御しても良い。また、予測部１４Ｅは、学習モデルに基づく制御態様を制御部２Ｂに送信することにより、制御部２Ｂを介して本体２Ａを間接的に制御しても良い。
【００２５】
＜サーバ装置の構成＞
図３は、実施例１のサーバ装置の構成例を示す図である。図３において、サーバ装置５は、通信部３１と、記憶部３２と、プロセッサ３３とを有する。通信部３１は中継装置６と通信し、例えば通信ＩＦにより実現される。記憶部３２は、例えばＨＤＤ、ＲＯＭ、ＲＡＭ等により実現され、データやプログラム等の各種情報を記憶する。プロセッサ３３は、例えばＣＰＵ、ＭＰＵ、ＭＣＵ等により実現される。
【００２６】
記憶部３２は、データメモリ３２Ａと、モデルメモリ３２Ｂとを有する。データメモリ３２Ａは、アダプタ３から受信された運転情報データを記憶する。モデルメモリ３２Ｂは、サーバ装置５で生成または更新された学習モデルを記憶する。
【００２７】
プロセッサ３３は、プロセッサ３３における機能ブロックとして、受信部３３Ａと、学習部３３Ｂと、送信部３３Ｃとを有する。
【００２８】
受信部３３Ａは、複数の室内機２のそれぞれに接続された各アダプタ３から運転情報データを受信し、受信した運転情報データをデータメモリ３２Ａに記憶させる。
【００２９】
学習部３３Ｂは、データメモリ３２Ａに記憶された運転情報データを用いて機械学習を行い、学習結果に基づいて学習モデルを生成または更新する。学習部３３Ｂは、生成または更新した学習モデルをモデルメモリ３２Ｂに記憶させる。学習モデルの一例として、各家庭の空気調和機の運転状況に基づいてユーザの体感温度を予測し、予測した体感温度に応じて空気調和機を制御する「体感温度設定予測モデル」が挙げられる。
【００３０】
送信部３３Ｃは、モデルメモリ３２Ｂに記憶されている学習モデルをモデルメモリ３２Ｂから取得し、取得した学習モデルを中継装置６経由でアダプタ３へ送信する。
【００３１】
＜運転情報データの一例＞
図４は、実施例１の運転情報データの一例を示す図である。運転情報データには、例えば、運転状態、運転モード、設定温度、室内温度（室温）、室内湿度、風量、風向、人感センサ、輻射センサ、室内熱交温度、室外温度（外気温）、圧縮機回転数、室外風量、運転電流、室外熱交温度、吐出温度、圧縮機温度、膨張弁開度、放熱器温度、起動失敗履歴、異常停止履歴、応急運転履歴、タイムスタンプ、空気調和機ＩＤ、設置場所、施設種類等がある。
【００３２】
運転状態は、室内機２の運転のＯＮ−ＯＦＦ状態を示す。運転モードは、室内機２の冷房や暖房等の動作モードを示す。設定温度は、ユーザによって設定された温度であり、室内機２が使用される室内の目標温度を示す。室内温度は、室内機２が使用される室内の実際の温度を示す。室内湿度は、室内機２が使用される室内の実際の湿度を示す。風量は、室内機２から吹き出される室内空気の風量を示す。風向は、室内機２から吹き出される室内空気の風向を示す。人感センサは、室内の人の有無や活動量のセンサによる検出結果を示す。輻射センサは、室内の床や壁の温度の検出結果を示す。室内熱交温度は、室内機２の本体２Ａの一部をなす室内熱交換器の温度を示す。室外温度は、室外の実際の温度を示す。圧縮機回転数は、室内機２と冷媒配管で接続される室外機に備えられた圧縮機の運転回転数を示す。室外風量は、室外機に備えられる室外ファンによって生成される風量を示す。運転電流は、例えば、室内機２及び室外機等の空気調和機全体の運転電流を示す。室外熱交温度は、室外機に備えられる室外熱交換機の温度を示す。吐出温度は、圧縮機から吐出される冷媒の温度を示す。圧縮機温度は、圧縮機底部の温度を示す。膨張弁開度は、室外機に備えられる電子膨張弁の開度を示す。放熱器温度は、圧縮機を駆動制御するパワー半導体の温度を示す。起動失敗履歴は、圧縮機の起動の失敗の履歴を示す。異常停止履歴は、空気調和機の異常停止の履歴を示す。応急運転履歴は、応急運転の実施履歴を示す。タイムスタンプは、各々の運転情報データの取得日時を年月日時分秒で示す。空気調和機ＩＤは、空気調和機を識別するために室内機２に付与されるＩＤを示す。設置場所は、空気調和機が設置された場所の住所を示す。施設種類は、空気調和機が設置された施設の種類（店舗、飲食店、工場等）を示す。
【００３３】
図４に示す各運転情報データは、家庭用または業務用といった空気調和機の用途に応じて使い分けられる。家庭用の空気調和機に使用される運転情報データとしては、例えば、運転状態、運転モード、設定温度、室内温度、室内湿度、風量、風向、人感センサ、輻射センサ、タイムスタンプ、空気調和機ＩＤ、設置場所等がある。家庭用の空気調和機では、快適性や省エネ性を追求して、ＡＩを用いて操作や提案が行われるため、例えば、設定温度、運転モード、室内や周囲環境等が家庭用に必要なデータとなる。
【００３４】
一方で、業務用の空気調和機に使用される運転情報データとしては、例えば、運転状態、運転モード、設定温度、室内温度、室内湿度、風量、風向、人感センサ、輻射センサ、室内熱交温度、室外温度、圧縮機回転数、室外風量、運転電流、室外熱交温度、吐出温度、圧縮機温度、膨張弁開度、放熱器温度、起動失敗履歴、異常停止履歴、応急運転履歴、タイムスタンプ、空気調和機ＩＤ、設置場所、施設種類等がある。業務用の空気調和機では、ＡＩが各機器の故障やメンテナンスの必要性を予測する。例えば、業務用の空気調和機では、空気調和機内の各部品の運転状況や履歴が蓄積され、蓄積された運転状況や履歴に基づいて、ＡＩが各部品の故障時期を予測する。なお、空気調和機に備えられる圧縮機やファンモータについては、空気調和機の停止中運転情報データが発生しないため、例えば、圧縮機回転数、室外風量、運転電流及び室外熱交温度のデータは空気調和機の停止中には取得しなくても良い。
【００３５】
学習モデルが例えば体感温度設定予測モデルの場合、体感温度設定予測モデルの生成または更新には、設定温度、室内温度、室内湿度、室外温度等の時系列の運転情報データが使用される。図５は、実施例１の体感温度設定予測モデルの生成または更新に使用される運転情報データの一例を示す図である。体感温度設定予測モデルに使用される運転情報データは、図５に示すように、季節に応じて異なる。例えば、冬季の体感温度設定予測モデルでは、設定温度、室内温度、室内湿度及び室外温度等が使用される。一方で、夏季の体感温度設定予測モデルでは、冬季に使用される運転情報データに加えて、例えば、風量と人感センサの検出データ（人の有無や活動量）が使用される。
【００３６】
上記のように、室内機２は、ＡＩによる操作（以下では「ＡＩ操作」と呼ぶことがある）が可能である。また、室内機２の本体２Ａには、室内機２を直接操作可能な操作ボタン（以下では「本体ボタン」と呼ぶことがある）が設けられる。また、室内機２は、リモコン９による操作が可能である。リモコン９は、例えば赤外線リモコンまたは電波リモコンである。また、室内機２は、通信端末７による操作が可能である。
【００３７】
ここで、本体ボタン、赤外線リモコン、電波リモコン、及び、通信端末７は、ユーザの手による操作が可能なため、ユーザの操作を受け付ける操作手段（以下では「第１操作手段」と呼ぶことがある）である。一方で、アダプタ３は、ＡＩによって室内機２を自動的に操作することが可能なため、アダプタ３は、ＡＩ操作を行う操作手段（以下では「第２操作手段」と呼ぶことがある）である。つまり、空気調和システム１は、室内機２を操作可能な複数の操作手段（第１操作手段及び第２操作手段）を有する。
【００３８】
本体ボタンは、室内機２の本体２Ａに設けられることにより、室内機２が設置された部屋での操作が可能な操作手段である。また、赤外線リモコンは、室内機２と赤外線通信を行うことにより、室内機２が設置された部屋での操作が可能な操作手段である。つまり、本体ボタン及び赤外線リモコンは、室内機２が設置された部屋での操作が可能な操作手段（以下では「第１副操作手段」と呼ぶことがある）である。
【００３９】
電波リモコンは、電波通信により室内機２を操作するものであるため、室内機２が設置された部屋とは別の部屋からの操作も可能である。よって、電波リモコンは、室内機２と電波通信を行うことにより室内機２が設置された部屋とは別の部屋からの操作が可能な操作手段（以下では「第２副操作手段」と呼ぶことがある）である。
【００４０】
通信端末７は、ユーザの外出先からの室内機２の操作を可能にする。よって、通信端末７は、屋外からの操作が可能な操作手段（以下では「第３副操作手段」と呼ぶことがある）である。
【００４１】
このように、第１操作手段には、第１副操作手段、第２副操作手段、及び、第３副操作手段が含まれる。
【００４２】
＜空気調和システムの処理＞
室内機２の制御部２Ｂには、図６に示す優先順位テーブルＰＴが予め設定されている。図６は、実施例１の優先順位テーブルの一例を示す図である。優先順位テーブルＰＴには、各操作手段と、各操作手段の優先順位と、各操作手段の操作主体と、各操作手段の操作可能範囲とが、互いに対応付けられて予め設定されている。優先順位テーブルＰＴにおける「操作可能範囲」のうち「設置部屋」は、対応する操作手段（本体ボタン及び赤外線リモコン）が、室内機２が設置された部屋での操作が可能な操作手段であることを示す。また、「別部屋」は、対応する操作手段（電波リモコン）が、同一の建物内で、室内機２が設置された部屋とは別の部屋からの操作が可能な操作手段であることを示す。また、「屋外」は、対応する操作手段（通信端末７）が、屋外からの操作が可能な操作手段であることを示す。
【００４３】
優先順位テーブルＰＴに設定されているように、本体ボタン及び赤外線リモコンの優先順位（１位）は、電波リモコンの優先順位（２位）よりも高く、電波リモコンの優先順位（２位）は、通信端末７の優先順位（３位）よりも高く、通信端末７の優先順位（３位）は、アダプタ３の優先順位（４位）よりも高い。
【００４４】
制御部２Ｂは、複数の操作手段による操作が競合したときに、優先順位テーブルＰＴに設定された優先順位に従って、各操作手段からの操作を受け付ける。以下、空気調和システム１の処理の一例として、処理例１及び処理例２について説明する。図７及び図８は、実施例１の空気調和システムの処理例の説明に供する図である。
【００４５】
＜処理例１（図７）＞
図７において、ステップＳ１０１では、ユーザが第１操作手段（本体ボタン、赤外線リモコン、電波リモコン、または、通信端末７）を使用して室内機２に対する操作（ユーザ操作）を行うと、第１操作手段は、操作信号を室内機２へ送信する。室内機２の制御部２Ｂは、第１操作手段から送信された操作信号を受信し、操作信号による操作を受け付ける。また、制御部２Ｂは、操作信号を受信した時点を起点として、所定の長さの操作禁止期間Ｐ１を設ける。操作禁止期間Ｐ１の長さは、例えば、１０秒間である。
【００４６】
ステップＳ１０１で操作を受け付けた制御部２Ｂは、ステップＳ１０３において、受付応答を、操作信号の送信元の第１操作手段へ送信する。これにより、ステップＳ１０１で操作信号を送信した第１操作手段は、ステップＳ１０１で送信した操作信号による操作が室内機２に受け付けられたことを認識し、ユーザによる次の操作を待つ。
【００４７】
ここで、操作禁止期間Ｐ１の間に、ステップＳ１０５において、第２操作手段（アダプタ３）が、ＡＩ操作として、ＡＩにより生成された操作信号を室内機２へ送信する。室内機２の制御部２Ｂは、第２操作手段から送信された操作信号を受信する。しかし、制御部２ＢがステップＳ１０５で第２操作手段から操作信号を受信した時点は操作禁止期間Ｐ１に含まれる。また、優先順位テーブルＰＴより、第２操作手段（アダプタ３）の優先順位は、第１操作手段（本体ボタン、赤外線リモコン、電波リモコン、及び、通信端末７）の優先順位よりも低い。このため、制御部２Ｂは、第２操作手段からの操作を受け付けない（拒否する）。
【００４８】
ステップＳ１０５で操作を拒否した制御部２Ｂは、ステップＳ１０７において、拒否応答を、操作信号の送信元の第２操作手段へ送信する。これにより、ステップＳ１０５で操作信号を送信した第２操作手段は、ステップＳ１０５で送信した操作信号による操作が室内機２に拒否されたことを認識することができるため、例えば、ステップＳ１０５で送信した操作信号と同一の操作信号を再送すれば良い。
【００４９】
一方で、操作禁止期間Ｐ１の間に、ステップＳ１０９において、ユーザが、ステップＳ１０１で使用した第１操作手段と同一の第１操作手段を用いて室内機２に対する操作（ユーザ操作）を行うと、第１操作手段は、操作信号を室内機２へ送信する。室内機２の制御部２Ｂは、第１操作手段から送信された操作信号を受信する。ここで、制御部２ＢがステップＳ１０９で第１操作手段から操作信号を受信した時点は操作禁止期間Ｐ１に含まれる。しかし、ステップＳ１０１での操作信号の送信元と、ステップＳ１０９での操作信号の送信元とは、同一の第１操作手段であるため、優先順位テーブルＰＴにおける優先順位は同一である。このため、制御部２Ｂは、ステップＳ１０９で受信した操作信号による操作を受け付ける。
【００５０】
ステップＳ１０９で操作を受け付けた制御部２Ｂは、ステップＳ１１１において、受付応答を、操作信号の送信元の第１操作手段へ送信する。これにより、ステップＳ１０９で操作信号を送信した第１操作手段は、ステップＳ１０９で送信した操作信号による操作が室内機２に受け付けられたことを認識し、ユーザによる次の操作を待つ。
【００５１】
また、操作禁止期間Ｐ１が終了してから、ステップＳ１１３において、第２操作手段（アダプタ３）が、ＡＩ操作として、ＡＩにより生成された操作信号を室内機２へ送信する。室内機２の制御部２Ｂは、第２操作手段から送信された操作信号を受信する。制御部２ＢがステップＳ１１３で第２操作手段から操作信号を受信した時点では操作禁止期間Ｐ１は終了しているため、制御部２Ｂは、ステップＳ１１３で受信した操作信号による操作を受け付ける。
【００５２】
ステップＳ１１３で操作を受け付けた制御部２Ｂは、ステップＳ１１５において、受付応答を、操作信号の送信元の第２操作手段へ送信する。これにより、ステップＳ１１３で操作信号を送信した第２操作手段は、ステップＳ１１３で送信した操作信号による操作が室内機２に受け付けられたことを認識し、ＡＩによる次の操作を待つ。
【００５３】
以上のように、処理例１では、室内機２は、第１操作手段による操作（以下では「第１操作」と呼ぶことがある）と第２操作手段による操作（以下では「第２操作」と呼ぶことがある）との双方が所定時間内（操作禁止期間Ｐ１内）に行われた場合は、第２操作よりも優先して第１操作を受け付ける。
【００５４】
また、処理例１では、室内機２は、第１操作を受け付けてから所定時間（操作禁止期間Ｐ１）が経過するまでは、第２操作を受け付けない。
【００５５】
こうすることで、ユーザの操作を受け付ける操作手段（第１操作手段）と、ＡＩ操作を行う操作手段（第２操作手段）という複数の操作手段がある場合でも、第１操作手段による操作が優先して受け付けられるため、空気調和機の操作に関しユーザが不快に感じることを防止できる。
【００５６】
＜処理例２（図８）＞
図８において、ステップＳ２０１では、ユーザが第１副操作手段（本体ボタンまたは赤外線リモコン）を使用して室内機２に対する操作を行うと、第１副操作手段は、操作信号を室内機２へ送信する。室内機２の制御部２Ｂは、第１副操作手段から送信された操作信号を受信し、操作信号による操作を受け付ける。また、制御部２Ｂは、操作信号を受信した時点を起点として、所定の長さ（例えば、１０秒間）の操作禁止期間Ｐ２を設ける。
【００５７】
ステップＳ２０１で操作を受け付けた制御部２Ｂは、ステップＳ２０３において、受付応答を、操作信号の送信元の第１副操作手段へ送信する。これにより、ステップＳ２０１で操作信号を送信した第１副操作手段は、ステップＳ２０１で送信した操作信号による操作が室内機２に受け付けられたことを認識し、ユーザによる次の操作を待つ。
【００５８】
ここで、操作禁止期間Ｐ２の間に、ステップＳ２０５において、別のユーザが第２副操作手段（電波リモコン）を使用して室内機２に対する操作を行うと、第２副操作手段は、操作信号を室内機２へ送信する。室内機２の制御部２Ｂは、第２副操作手段から送信された操作信号を受信する。しかし、制御部２ＢがステップＳ２０５で第２副操作手段から操作信号を受信した時点は操作禁止期間Ｐ２に含まれる。また、優先順位テーブルＰＴより、第２副操作手段（電波リモコン）の優先順位は、第１副操作手段（本体ボタン及び赤外線リモコン）の優先順位よりも低い。このため、制御部２Ｂは、第２副操作手段からの操作を受け付けない（拒否する）。
【００５９】
ステップＳ２０５で操作を拒否した制御部２Ｂは、ステップＳ２０７において、拒否応答を、操作信号の送信元の第２副操作手段へ送信する。これにより、ステップＳ２０５で操作信号を送信した第２副操作手段は、ステップＳ２０５で送信した操作信号による操作が室内機２に拒否されたことを認識することができるため、例えば、第２副操作手段に対するユーザの再操作を音声や画面表示等でユーザに促しても良い。
【００６０】
また、操作禁止期間Ｐ２の間に、ステップＳ２０９において、別のユーザが第３副操作手段（通信端末７）を使用して室内機２に対する操作を行うと、第３副操作手段は、操作信号を室内機２へ送信する。室内機２の制御部２Ｂは、第３副操作手段から送信された操作信号を受信する。しかし、制御部２ＢがステップＳ２０９で第３副操作手段から操作信号を受信した時点は操作禁止期間Ｐ２に含まれる。また、優先順位テーブルＰＴより、第３副操作手段（通信端末７）の優先順位は、第１副操作手段（本体ボタン及び赤外線リモコン）の優先順位よりも低い。このため、制御部２Ｂは、第３副操作手段からの操作を受け付けない（拒否する）。
【００６１】
ステップＳ２０９で操作を拒否した制御部２Ｂは、ステップＳ２１１において、拒否応答を、操作信号の送信元の第３副操作手段へ送信する。これにより、ステップＳ２０９で操作信号を送信した第３副操作手段は、ステップＳ２０９で送信した操作信号による操作が室内機２に拒否されたことを認識することができるため、例えば、第３副操作手段に対するユーザの再操作を音声や画面表示等でユーザに促しても良い。
【００６２】
また、操作禁止期間Ｐ２が終了してから、ステップＳ２１３において、別のユーザが第２副操作手段（電波リモコン）を使用して室内機２に対する操作を行うと、第２副操作手段は、操作信号を室内機２へ送信する。室内機２の制御部２Ｂは、第２副操作手段から送信された操作信号を受信し、操作信号による操作を受け付ける。また、制御部２Ｂは、操作を受け付けた時点を起点として、所定の長さ（例えば、１０秒間）の操作禁止期間Ｐ３を設ける。
【００６３】
ステップＳ２１３で操作を受け付けた制御部２Ｂは、ステップＳ２１５において、受付応答を、操作信号の送信元の第２副操作手段へ送信する。これにより、ステップＳ２１３で操作信号を送信した第２副操作手段は、ステップＳ２１３で送信した操作信号による操作が室内機２に受け付けられたことを認識し、ユーザによる次の操作を待つ。
【００６４】
ここで、操作禁止期間Ｐ３の間に、ステップＳ２１７において、別のユーザが第３副操作手段（通信端末７）を使用して室内機２に対する操作を行うと、第３副操作手段は、操作信号を室内機２へ送信する。室内機２の制御部２Ｂは、第３副操作手段から送信された操作信号を受信する。しかし、制御部２ＢがステップＳ２１７で第３副操作手段から操作信号を受信した時点は操作禁止期間Ｐ３に含まれる。また、優先順位テーブルＰＴより、第３副操作手段（通信端末７）の優先順位は、第２副操作手段（電波リモコン）の優先順位よりも低い。このため、制御部２Ｂは、第３副操作手段からの操作を受け付けない（拒否する）。
【００６５】
ステップＳ２１７で操作を拒否した制御部２Ｂは、ステップＳ２１９において、拒否応答を、操作信号の送信元の第３副操作手段へ送信する。これにより、ステップＳ２１７で操作信号を送信した第３副操作手段は、ステップＳ２１７で送信した操作信号による操作が室内機２に拒否されたことを認識することができるため、例えば、第３副操作手段に対するユーザの再操作を音声や画面表示等でユーザに促しても良い。
【００６６】
また、操作禁止期間Ｐ３が終了してから、ステップＳ２２１において、別のユーザが第３副操作手段（通信端末７）を使用して室内機２に対する操作を行うと、第３副操作手段は、操作信号を室内機２へ送信する。室内機２の制御部２Ｂは、第３副操作手段から送信された操作信号を受信する。制御部２ＢがステップＳ２２１で第３副操作手段から操作信号を受信した時点では操作禁止期間Ｐ３は終了しているため、制御部２Ｂは、ステップＳ２２１で受信した操作信号による操作を受け付ける。
【００６７】
ステップＳ２２１で操作を受け付けた制御部２Ｂは、ステップＳ２２３において、受付応答を、操作信号の送信元の第３副操作手段へ送信する。これにより、ステップＳ２２１で操作信号を送信した第３副操作手段は、ステップＳ２２１で送信した操作信号による操作が室内機２に受け付けられたことを認識し、ユーザによる次の操作を待つ。
【００６８】
以上のように、処理例２では、室内機２は、第１副操作手段による操作（以下では「第３操作」と呼ぶことがある）と第２副操作手段による操作（以下では「第４操作」と呼ぶことがある）との双方が所定時間内（操作禁止期間Ｐ２内）に行われた場合は、第４操作よりも優先して第３操作を受け付ける。また、室内機２は、第３操作と第３副操作手段による操作（以下では「第５操作」と呼ぶことがある）との双方が所定時間内（操作禁止期間Ｐ２内）に行われた場合は、第５操作よりも優先して第３操作を受け付ける。また、室内機２は、第４操作と第５操作との双方が所定時間内（操作禁止期間Ｐ３内）に行われた場合は、第５操作よりも優先して第４操作を受け付ける。
【００６９】
また、処理例２では、室内機２は、第３操作を受け付けてから所定時間（操作禁止期間Ｐ２）が経過するまでは、第４操作及び第５操作を受け付けない。
【００７０】
また、処理例２では、室内機２は、第４操作を受け付けてから所定時間（操作禁止期間Ｐ３）が経過するまでは、第５操作を受け付けない。
【００７１】
こうすることで、ユーザの操作を受け付ける操作手段（第１操作手段）の中に、室内機２が設置された部屋での操作が可能な操作手段（第１副操作手段）と、室内機２が設置された部屋とは別の部屋からの操作が可能な操作手段（第２副操作手段）と、屋外からの操作が可能な操作手段（第３副操作手段）という複数の操作手段がある場合でも、空気調和機の操作に関しユーザが不快に感じることを防止できる。
【００７２】
以上、実施例１について説明した。
【００７３】
［実施例２］
実施例１では、アダプタ３は、室内機２の運転情報データを中継装置６経由でサーバ装置５へ送信する場合を一例として説明したが、アダプタ３は、運転情報データを中継装置６を経由することなく、直接、サーバ装置５へ送信しても良い。
【００７４】
また、図示した各構成要素は、必ずしも物理的に図示の如く構成されていることを要しない。各構成要素の分散・統合の具体的形態は図示のものに限定されず、各構成要素の全部または一部を、例えば各種の負荷や使用状況等に応じて、任意の単位で機能的または物理的に分散・統合して構成することが可能である。
【００７５】
また、制御部２Ｂまたはアダプタ３での上記説明における各処理の全部または一部は、各処理に対応するプログラムを制御部２Ｂまたはアダプタ３が有するプロセッサに実行させることによって実現しても良い。例えば、上記説明における各処理に対応するプログラムがメモリに記憶され、プログラムがプロセッサによってメモリから読み出されて実行されても良い。また、プログラムは、任意のネットワークを介して制御部２Ｂまたはアダプタ３に接続されたプログラムサーバに記憶され、そのプログラムサーバから制御部２Ｂまたはアダプタ３にダウンロードされて実行されても良い。
【００７６】
以上、実施例２について説明した。
【符号の説明】
【００７７】
１  空気調和システム
２  室内機
２Ｂ  制御部
３  アダプタ
７  通信端末
９  リモコン
【図１】
2020122641.tif 000003
【図２】
2020122641.tif 000004
【図３】
2020122641.tif 000005
【図４】
2020122641.tif 000006
【図５】
2020122641.tif 000007
【図６】
2020122641.tif 000008
【図７】
2020122641.tif 000009
【図８】
2020122641.tif 000010